(57)【要約】      （修正有）【課題】容易に安定設置でき、土砂流等の堰止め、交通規制等に好適に使用される遮断用設置体を提供する。【解決手段】遮断用設置体１は全体がコンクリートの成形品よりなり、横長の上壁部２の下部に巾広のベース部３が一体に設けられて構成されている。上壁部２の上面にはその長手方向に沿って補助壁の取り付け用金具（補助壁の取り付け部）６が４個インサートされて設けられ、上壁部２の両端側面それぞれには複数の遮断用設置体１を互いに連結するための嵌合凸部８と嵌合凹部とが設けられ、ベース部３の下面には一対のフォークリフトのフォーク差し込み溝１１を備えている。フォーク差し込み溝１１に差し込まれてフォーク差し込み溝１１を閉じる閉鎖片９も備える。【選択図】図１
0003189789.tif 000002
【実用新案登録請求の範囲】
【請求項１】
全体がコンクリート製で、横長の上壁部の下部に連続して巾広のベース部を一体に備え、前記ベース部の下面にフォークリフトのフォークの差し込み溝を備え、さらに、両端側面に当該遮断用設置体を複数個互いに連結するための嵌合凹部と嵌合凸部とを備えてなることを特徴とする遮断用設置体。
【請求項２】
前記上壁部上に補助壁の取り付け部が設けられてなる請求項１記載の遮断用設置体。
【考案の詳細な説明】
【技術分野】
【０００１】  この考案は、土砂流等の堰止めや交通規制等に使用される遮断用設置体に関する。
【背景技術】
【０００２】  道に土砂が流れ出して通行に支障をきたす際には、その土砂の流れ出しを堰止めするために、現状では土嚢を積むことで対応している。
【考案の概念】
【考案が解決しようとする課題】
【０００３】  上記の土嚢を用いる場合には、多数個の土壌を用意し、それらを多段に積まなければならないので、その作業に多大な労力と時間を要していた。また、土嚢の場合その堰止め機能に限界があった。
【課題を解決するための手段】
【０００４】  この考案は上記の事情に鑑みて行ったもので、容易に安定設置でき、土砂流等の堰止め等に好適に使用される遮断用設置体を提供することを目的とする。
【０００５】  この考案では、全体がコンクリート製で、横長の上壁部の下部に連続して巾広のベース部を一体に備え、前記ベース部の下面にフォークリフトのフォークの差し込み溝を備え、さらに、両端側面に当該遮断用設置体を複数個互いに連結するための嵌合凹部と嵌合凸部とを備えてなることを特徴とする遮断用設置体を提供する。
【０００６】  上記構成の遮断用設置体は、コンクリート製であるので遮断機能に優れ、かつ、重量があり巾広のベース部を備えていることで安定設置される。さらに、重量を有することで両端側面の嵌合凸部と嵌合凹部が互いに嵌合されるだけで連結具等を必要とすることなく複数個のものが所望の長さに並設して安定設置される。さらに、ベース部の下面にフォークリフトのフォークの差し込み溝を備えていることで、フォークリフトを使用して移動が容易に行われる。
【０００７】  上壁部上に補助壁の取り付け部が設けられてなる構成とされることで、補助壁が取り付けられての使用が可能で、これにより全体高さが大きな壁状形態とでき、また、補助壁として各種形態のものを使用することで機能性、デザイン性の高いものとできる。
【０００８】  この考案の遮断用設置体は、物体、人、動物等の移動を遮断する機能を果たし、土砂や土石や水の移動を遮断する堰止め体として、また、人や車動物等の移動を遮断する移動規制体として適宜用いられる。
【考案の効果】
【０００９】  この考案によれば、容易に安定設置できるとともに遮断機能に優れ、土砂流等の堰止め体や人や車や動物等の移動規制体等に好適に使用される遮断用設置体が得られる。さらに、フォークリフトでの移動が容易に行え、並設使用が容易に安定した構造で行える実用性に優れる遮断用設置体が得られる。
【図面の簡単な説明】
【００１０】
【図１】  この考案の遮断用設置体の実施形態の一方側の斜視図
【図２】  この考案の遮断用設置体の実施形態の他方側の斜視図
【図３】  この考案の遮断用設置体の実施形態の使用状態説明図
【図４】  この考案の遮断用設置体の実施形態の使用状態説明図
【図５】  この考案の遮断用設置体の実施形態の補助壁の取り付け構造説明図
【実施形態の説明】
【００１１】  図１はこの考案の遮断用設置体の一方面側斜視図、第２は同他方面側斜視図である。遮断用設置体１は全体がコンクリートの成形品よりなり、横長の上壁部２の下部に巾広のベース部３が一体に設けられて構成されている。上壁部２の上面にはその長手方向に沿って補助壁５（図４参照）の取り付け用金具（補助壁の取り付け部）６が４個インサートされて設けられ、上壁部２の両端側面それぞれには複数の遮断用設置体１を互いに連結するための嵌合凸部８と嵌合凹部１０とが設けられ、ベース部３の下面には一対のフォークリフトのフォーク差し込み溝１１を備えている。９はフォーク差し込み溝１１に差し込まれてフォーク差し込み溝１１を閉じる閉鎖片１２である。
【００１２】  遮断用設置体１はコンクリート製で重量があり巾広のベース部３を備えていることで安定設置され、コンクリート製であるので遮断機能に優れて土砂の流出等が確実に阻止される。その際必要に応じて閉鎖片９を使用してフォーク差し込み溝１１を閉じた状態とすることができる。遮断用設置体１の設置現場での移動、また、トラックへの積み下ろしと保管場所での保管に際しての移動が、ベース部３の下面にフォークリフトのフォーク差し込み溝１１を備えていることで、フォークリフトを使用して容易に行われる。遮断用設置体１は必要時に設置され、必要でなくなった際に撤去されて保管される。
【００１３】  図３は遮断用設置体１の並設使用状態を示す。遮断用設置体１は嵌合凸部８と嵌合凹部１０とが互いに嵌合連結されて並設される。遮断用設置体１は重量を有するので、嵌合凸部８と嵌合凹部１０とが互いに嵌合されるだけで連結具等を必要とすることなく安定した並設状態が維持され、これにより所望長さの遮断構造が容易に構築できる。
【００１４】  図４は遮断用設置体１上に補助壁１２を装着した状態を示す。補助壁１２は金属製で、４本の取り付けロッド１３とそれらの上端に取り付け固定される網状面体１４とからなる。図５はその取り付け構成を示し、取り付けロッド１３の下部のネジ部１５が取り付け金具６のネジ穴１７に螺入され、上部のネジ部１８が網状面体１４の下枠部２０の取り付け孔２１に挿通され、ネジ部１８に固定ナット２２が螺着固定されることで取り付けられている。
【００１５】  上記のように遮断用設置体１に取り付け金具６が設けられていて、補助壁１４が取り付けられることで遮断用設置体１を高くでき、また、補助壁１２としてパネル形態のものを用いることで目隠し機能を発揮するものとでき、さらに、人口樹木等を用いることで意匠性に優れるものとできる。このように補助壁１２が取り付けられることで、遮断用設置体１は屋外等において仮設壁として使用される。なお、取り付け金具６のネジ穴１７は、吊り下げ用ロッドの取り付け部としても利用でき、これにより遮断用設置体１は吊り下げ移動もできる。
【符号の説明】
【００１５】１    遮断用設置体
２    上壁部
３    ベース部
８    嵌合凹部
１０  嵌合凸部
１１  フォーク差し込み溝
【図１】
0003189789.tif 000003
【図２】
0003189789.tif 000004
【図３】
0003189789.tif 000005
【図４】
0003189789.tif 000006
【図５】
0003189789.tif 000007